(57)【特許請求の範囲】
【請求項１】
上下端面が開口し下部一側面に窓部を設けてあると共に前記窓部を有する側面と連続する対向側面に前記窓部と連通する一対の切欠部を設けてある脚枠体内に、下部対向側面に一対の縦溝を設けてある印鑑保持筒を前記切欠部と縦溝が対向するよう上下動自在に収納し、前記脚枠体の一側面に前記窓部を開閉する朱肉パッドを備えた回転蓋を回転自在に枢着し、前記回転蓋に前記切欠部と前記縦溝に位置する突子を有する一対のガイド片を設け、前記印鑑保持筒の上部に前記脚枠体の上部外周を覆うホルダーを弾発部材を介して冠着して前記印鑑保持筒を常時上方に付勢した状態とし、前記印鑑保持筒が最上部に位置する時には前記突子が前記縦溝下端に当接して前記回転蓋を閉蓋状態とし、前記印鑑保持筒が前記脚枠体内を下降すると前記回転蓋が回転して開蓋状態となる印鑑ケースであって、前記回転蓋が開蓋状態にある時、前記突子は前記切欠部の下部、かつ、前記縦溝の上部に位置しており、その状態で前記回転蓋を更に開蓋方向に回転させることにより、前記突子が前記切欠部及び前記縦溝より離脱して前記回転蓋が反転状態となることを特徴とする印鑑ケース。
【請求項２】
前記回転蓋は係止孔を有する台座部を備えており、前記台座部には朱肉パッドを収容した朱肉皿を装着してあり、前記朱肉皿の下面には前記係止孔に対応する係止片を設けてあり、前記係止片を前記係止孔に挿入した状態で回転させることにより、前記朱肉皿が前記台座部に対して着脱自在となるようにした請求項１に記載の印鑑ケース。
【発明の詳細な説明】
【０００１】
【発明の属する技術分野】
本発明は、未使用時には朱肉パッドを内蔵した回転蓋が印鑑の印面を閉塞して印面に朱肉パッドが接触し、使用時には捺印動作と連動して回転蓋が回転して印面を開放し捺印することができる印鑑ケースに関する。
【０００２】
【従来の技術】
従来より、三文判等の市販の印鑑を内部に保持し、未使用時には朱肉パッドを内蔵した回転蓋が印鑑の印面を閉塞して印面に朱肉パッドが接触し、使用時には捺印動作と連動して回転蓋が回転して印面を開放する印鑑ケースは知られており、例えば、実開平５−４１８４４号、実開平５−９１８５８号、実開平６−１２０５６号、特開平９−３１４９７７号等に開示されている。
【０００３】
この種の印鑑ケースは、印鑑を保持する印鑑保持筒が脚枠体内に上下動自在に収納されて、この印鑑保持筒が脚枠体を上方より覆うホルダーと連結されて常時は弾発部材により上方に付勢されており、印鑑保持筒が上方に位置する時には回転蓋は閉蓋状態となり、前記ホルダーを前記弾発部材の弾発力に抗して押圧して下降させることにより、ホルダーと連結された印鑑保持筒が脚枠体内を下降し、これに連動して回転蓋が回転して開蓋状態となって、これにより印面が脚枠体の下端開口より露呈して捺印できるという構成になっている。一方、捺印後、ホルダーへの押圧を解くと弾発部材の弾発力によりホルダーと印鑑保持筒は上昇し、これにより回転蓋は閉蓋状態となるものである。
【０００４】
【発明が解決しようとする課題】
そして、この種の印鑑ケースに印鑑を取り付ける場合、前記したようにホルダーを弾発部材の弾発力に抗して下降させて回転蓋を開蓋状態とし、この状態を保持しながら印鑑を脚枠体の下端開口より印鑑保持筒内に挿入して取り付けるものであるが、このように印鑑を取り付ける際には回転蓋を開蓋状態に保持しながら行わなければならず、又、印鑑を印鑑ケースから取り外す場合も同様に回転蓋を開蓋状態に保持しながら行わなければならないため、従来のこの種の印鑑ケースにおいては印鑑の取り付けや取り外しがしにくいという問題があった。
【０００５】
又、この種の印鑑ケースの回転蓋に内蔵される朱肉パッドは小さく、その朱肉パッドのインク含浸量も少ないため、捺印回数が約５００回を越えた時点でインクを補充する必要があるが、インク補充を行う際にも、前記したように回転蓋を開蓋状態に保持しながら行わなければならず、更に、開蓋状態においては回転蓋の朱肉パッドと印鑑ケースの側面は対向した状態となるため、朱肉パッドへのインクの補充がしにくいという問題があった。
【０００６】
又、従来のこの種の印鑑ケースでは、印鑑ケースへの印鑑の取り付け時や、印鑑ケースからの印鑑の取り外し時や、回転蓋の朱肉パッドへのインク補充時には、前記したように回転蓋を開蓋状態に保持しなけらばならないが、このように回転蓋を開蓋状態とした時、その回転蓋を開蓋状態に保持している手が朱肉パッドや印面のインクにより汚れてしまうという問題があった。
【０００７】
そこで、本発明は前記した問題点を解決し、印鑑ケースへの印鑑の着脱の作業性を向上すると共に、朱肉パッドへのインク補充の作業性を向上して手がインクにより汚れることのないようにし、又、朱肉パッドを収容した朱肉皿を回転蓋に着脱自在となるようにして朱肉皿を交換可能とした場合において、その朱肉皿の交換作業性を向上した印鑑ケースを提供することを目的とする。
【０００８】
【課題を解決するための手段】
本発明は前記した課題を解決するために、上下端面が開口し下部一側面に窓部を設けてあると共に前記窓部を有する側面と連続する対向側面に前記窓部と連通する一対の切欠部を設けてある脚枠体内に、下部対向側面に一対の縦溝を設けてある印鑑保持筒を前記切欠部と縦溝が対向するよう上下動自在に収納し、前記脚枠体の一側面に前記窓部を開閉する朱肉パッドを備えた回転蓋を回転自在に枢着し、前記回転蓋に前記切欠部と前記縦溝に位置する突子を有する一対のガイド片を設け、前記印鑑保持筒の上部に前記脚枠体の上部外周を覆うホルダーを弾発部材を介して冠着して前記印鑑保持筒を常時上方に付勢した状態とし、前記印鑑保持筒が最上部に位置する時には前記突子が前記縦溝下端に当接して前記回転蓋を閉蓋状態とし、前記印鑑保持筒が前記脚枠体内を下降すると前記回転蓋が回転して開蓋状態となる印鑑ケースであって、前記回転蓋が開蓋状態にある時、前記突子は前記切欠部の下部、かつ、前記縦溝の上部に位置しており、その状態で前記回転蓋を更に開蓋方向に回転させることにより、前記突子が前記切欠部及び前記縦溝より離脱して前記回転蓋が反転状態となることを特徴とする印鑑ケースである。
【０００９】
又、前記回転蓋は係止孔を有する台座部を備えており、前記台座部には朱肉パッドを収容した朱肉皿を装着してあり、前記朱肉皿の下面には前記係止孔に対応する係止片を設けてあり、前記係止片を前記係止孔に挿入した状態で回転させることにより、前記朱肉皿が前記台座部に対して着脱自在となるようにした。
【００１０】
【発明の実施の形態】
以下、本発明の実施の形態を図面を基に説明する。図１〜図１４は本発明の一実施の形態を示すものであり、１は上下端面が開口したプラスチック製の中空状の脚枠体で、下部一側面には窓部２を設けてあり、この窓部２の上縁には中心に小孔３aを有する一対の支持片３を設けてあり、窓部２を有する側面と連続する対向二側面には窓部２と連通する一対の切欠部４を設けてある。この切欠部４は支持片３の小孔を中心とした円周上を切欠いた半円状となっている。
【００１１】
５は下端が開口したプラスチック製の中空状の印鑑保持筒で、下部側面の対向位置には上下に延びる一対の縦溝６を設けてあり、上部側面の対向位置には印鑑保持筒５の内外を連通させる一対の開口部７を設けてあり、この一対の開口部７の間に位置する側面の対向位置には一対の係止爪８を設けてあり、上端面には孔９を設けてある。この印鑑保持筒５は、開口部７側を脚枠体１の下端開口より挿入して縦溝６と切欠部４を対向させて脚枠体１の内部に上下動自在に収納するものである。又、この印鑑保持筒５の内部には三文判等の朱肉を必要とする市販の印鑑を着脱自在に保持するための筒状のカツラバネ１０を嵌挿してある。このカツラバネ１０は上下２ヵ所を内側に突出させた波状をしており、下端側面の一部を外側に折り曲げ、その部分を印鑑保持筒５内に設けた溝部（図示せず）に嵌入することにより印鑑保持筒５内に固定されるものである。
【００１２】
１１はプラスチック製の回転蓋で、脚枠体１に回転自在に枢着されて窓部２を開閉するものであり、側板部１２の内面には図４に示すように縦長の係合孔１４が斜めに設けられている台座部１３を設けてあり、側板部１２の上縁には中心に小孔１５aを有する一対の連結片１５を設けてあり、側板部１２の上部両端には内方に突出する突子１６を内面に有する一対のガイド片１７を設けてある。そして、回転蓋１１の台座部１３には朱肉インクを含浸した朱肉パッド１８を収容した朱肉皿１９が着脱自在に装着されるもので、朱肉皿１９の下面には、図６、図７に示すように台座部１３の係合孔１４に対応する形状で係合孔１４に挿入した状態で回転自在な係合片２０を設けてある。
【００１３】
この朱肉皿１９の取り付けは、台座部１３の上面と朱肉皿１９の下面を対向させた状態で係合片２０を係合孔１４に挿入し、係合片２０が係合孔１４を貫通して台座部１３の下面より突出したら、その突出した係合片２０を摘んで回転させる。すると、朱肉皿１９が回転して台座部１３の下面に設けてある突起１３ａを係合片２０の突起２０ａが乗り越えて、図８に示すように係合孔１４と係合片２０は交差した状態となって係合片２０の上面と台座部１３の下面が係合状態となり、朱肉皿１９は上方に抜け止め状となる。これにより、朱肉皿１９の取り付けが完了する。
【００１４】
又、回転蓋１１の一対の連結片１５の間には中心に長孔３３aを有するプラスチック製のロック部材３３を上下スライド自在に設けてある。この回転蓋１１とロック部材３３の組付けは、脚枠体１の切欠部４と脚枠体１内に収納された印鑑保持筒５の縦溝６を同位置としてガイド片１７の突子１６を切欠部４と縦溝６内に位置させて、その状態で一対の連結片１５を脚枠体１に設けられた一対の支持片３の間に配置して支持片３の小孔３aと連結片１５の小孔１５aを連通させると共に、一対の連結片１５の間にロック部材３３を配置して前記小孔３ａ、１５ａとロック部材３３の長孔３３aを連通状態とし、その小孔３ａ、１５aと長孔３３aに軸３４を嵌挿して、一対の支持片３と一対の連結片１５とロック部材３３を連結することにより、回転蓋１１は脚枠体１に回転自在に枢着され、ロック部材３３は回転蓋１１の一対の連結片１５の間に軸３４により回転自在かつ上下スライド自在に軸支されるものである。このように、ロック部材３３の組付けは回転蓋１１の組付けと同時に行うことができる。尚、回転蓋１１の組付けは、台座部１３に朱肉皿１９を取り付けた状態で行うものである。
【００１５】
そして、ガイド片１７の突子１６を切欠部４と縦溝6内に位置させた状態では、突子１６の周面は切欠部４の切欠面に当接しており、図１０に示すように突子１６が切欠部４の上部に位置し、かつ、縦溝６の下端に当接している時、回転蓋１１は窓部２において脚枠体１内に没入して閉蓋状態となる。即ち、回転蓋１１が閉蓋状態にある時、図１０に示すように回転蓋１１の側板部１２は窓部２を閉塞して、印鑑保持筒５は下端が脚枠体１の下端開口よりも上方に位置し脚枠体１内おいて上方に抜け止めされて最上部に位置し、朱肉皿１９は印鑑保持筒５の下端開口を閉塞する。
【００１６】
又、一対の連結片１５の間に設けられたロック部材３３は、その一対の連結片１５に上下スライド自在に挟持された状態となるので、ロック部材３３は回転蓋１１と一体となって回転することとなる。そして、図２に示すように長孔３３aの上端が軸３４に当接してロック部材３３が最下部に位置する時、ロック部材３３の上端は連結片１５の上端と平坦に並んだ状態となって、ロック部材３３の内面は回転蓋１１の側板部１２の外側面にのみ当接した状態となるので、回転蓋１１は脚枠体１の外側方向に回転自在となる。
【００１７】
２１は下端が開口し下部一側を切欠いたプラスチック製の中空状のホルダーで、上部側面の対向位置には印鑑保持筒５の開口部７に対応する一対の開口部２２を設けてあり、この一対の開口部２２の間に位置する側面の対向位置には印鑑保持筒５の係止爪８に対応する一対の係止孔２５を設けてある。このホルダー２１の組付けは、印鑑保持筒５を内部に収納した脚枠体１の上端面に弾発部材２４を配設した状態で、脚枠体１の上端開口より突出した印鑑保持筒５の係止爪８を係止孔２５に係止させることにより印鑑保持筒５に冠着するもので、これにより、ホルダー２１は脚枠体１の上部外周を覆った状態で印鑑保持筒５と連結されて一体化されるものである。尚、本実施の形態では弾発部材２４としてコイルスプリングを使用している。
【００１８】
そして、ホルダー２１を印鑑保持筒５に冠着した時、図２に示すように弾発部材２４の一端は脚枠体１の上端面に当接し他端はホルダー２１内の環状段部２３に当接して、印鑑保持筒５はホルダー２１と共に常時上方に付勢された状態となり、これにより、印鑑保持筒５は常時脚枠体１内の最上部に位置した状態となり、回転蓋１１は常時閉蓋状態となる。
【００１９】
又、ホルダー２１の上端面中央には孔２６を設けてあり、この孔２６の周縁には上端が開口し外周に雄ねじが形成してある中空状のねじ筒２７を突設してある。このねじ筒２７には、内面に雌ねじが形成され中心に軸部２８を有するプラスチック製の高さ調整部材２９を螺着してあり、図２に示すようにこの高さ調整部材２９の軸部２８はねじ筒２７内を貫通して、下端がホルダー２１の孔２６と印鑑保持筒５の孔９を介して印鑑保持筒５内に突出している。この高さ調整部材２９を回転させると、高さ調整部材２９の雌ねじとねじ筒２７の雄ねじの螺合により高さ調整部材２９はねじ筒２７に対して上下動し、これにより、軸部２８の下端は印鑑保持筒５内で上下動する。
【００２０】
３０は下端が開口したプラスチック製の中空状のホルダーキャップであり、内側面対向位置には一対の突起３１を設けてあり、この突起３１と、ホルダー２１の上部側面の対向位置に設けられた一対の突起３２を乗り越え嵌合させることにより、ホルダーキャップ３０はホルダー２１の上部に着脱自在に冠着するものである。このホルダーキャップ３０は印鑑保持筒５の上部に設けられた一対の開口部７やホルダー２１の上部に設けられた一対の開口部２２や高さ調整部材２９等を覆い隠すものである。
【００２１】
次に、以上のように構成された本実施の形態による印鑑ケースの使用方法を説明する。まず、印鑑ケースに印鑑３５を取り付ける場合には、図２に示すようにロック部材３３を最下部に位置させたロック解除状態でホルダー２１を弾発部材２４の弾発力に抗して押圧して脚枠体１に対して押し下げると、回転蓋１１は印鑑保持筒５により押圧され、この押圧力により回転蓋１１は図１１に示すように朱肉皿１９の上面が印鑑保持筒５の下端角部に当接しながら脚枠体１の外側方向に回転し、この回転蓋１１の回転と共に印鑑保持筒５は脚枠体１内を下降する。
【００２２】
そして、印鑑保持筒５の下端開口が脚枠体１の下端開口に位置するまでホルダー２１を押し下げると、回転蓋１１は図１２に示すようにその朱肉皿１９が窓部２より脚枠体１の外側に完全に突出した状態となるまで回転し、このように回転蓋１１が開蓋状態となった時、印鑑保持筒５の下端開口は開放される。ここで、印鑑保持筒５が脚枠体１内を下降して回転蓋１１が脚枠体１の外側方向に回転する時、図１０及び図１１及び図１２に示すようにガイド片１７の突子１６はその周面が脚枠体１の切欠部４の切欠面に当接しながら切欠部４の下部に移動し、かつ、突子１６は印鑑保持筒５の縦溝６の上部に移動するものであり、印鑑保持筒５の溝部６は回転蓋１１の回転を妨げない大きさに設定されるものである。
【００２３】
そして、図１２に示すようにホルダー２１を押し下げて回転蓋１１を開蓋状態として印鑑保持筒５の下端開口を開放したら、回転蓋１１を手で強制的に開蓋方向に更に回転させる。すると、図１３に示すようにガイド片１７の突子１６は切欠部４及び縦溝６より離脱し回転蓋１１は反転状態となり、この状態でホルダー２１への押圧を解くと、印鑑保持筒５は弾発部材２４の弾発力により脚枠体1内を上昇するが、回転蓋１１は図１４に示すように反転した状態に保持され、印鑑保持筒５の下端開口は開放した状態となる。
【００２４】
そして、前記したように回転蓋１１を反転状態に保持したら、印鑑保持筒５の下端開口より印鑑３５を挿入して、印鑑３５を印鑑保持筒５に保持させる。この時、印鑑３５の上端が高さ調整部材２９の軸部２８下端面に当接するまで印鑑３５を挿入する。尚、図２に示すように印鑑３５の上端が高さ調整部材２９の軸部２８下端面に当接した時、印鑑３５の上部は図９に示すように印鑑保持筒５の上部にある開口部７の部分に位置し、印鑑３５の印面３６は図２に示すように印鑑保持筒５の下端開口より下方に若干突出した状態となる。
【００２５】
そして、印鑑３５の上端が高さ調整部材２９の軸部２８下端面に当接したら、図１３に示すように印鑑保持筒５の縦溝６の上部が脚枠体１の切欠部４の下部に位置するまでホルダー２１を押し下げ、その状態で回転蓋１１を手で閉蓋方向に回転させて図１２に示すようにガイド片１７の突子１６を切欠部４及び縦溝6内に位置させて、回転蓋１１の反転状態を解く。そして、図１２に示すように回転蓋１１の反転状態を解いた状態でホルダー２１への押圧を解くと、印鑑保持筒５は弾発部材２４の弾発力により脚枠体1内を上昇し、これに伴いガイド片１７の突子１６は縦溝６の下端に接近していく。
【００２６】
そして、図１１に示すように突子１６が縦溝６の下端に当接した後に印鑑保持筒５が脚枠体1内を更に上昇すると、突子１６と縦溝６下端の当接により回転蓋１１はその朱肉皿１９の上面が印鑑保持筒５の下端角部に当接しながら脚枠体１の内側方向に回転する。尚、回転蓋１１が脚枠体１の内側方向に回転する時、ガイド片１７の突子１６はその周面が脚枠体１の切欠部４の切欠面に当接しながら切欠部４の上方に移動する（図１２→図１０参照）。
【００２７】
そして、印鑑保持筒５が最上部に位置した時、回転蓋１１は図１０に示すように閉蓋状態となって回転蓋１１の側板部１２は窓部２を閉塞し、朱肉皿１９は図２に示すように印鑑３５の印面３６を閉塞して印面３６に朱肉パッド１３が接触する。これにより、印鑑３５の未使用時には印面３６に朱肉が常時付着した状態となる。以上の作業により印鑑３５の取り付けが完了する。以上のように、印鑑３５の取り付けは回転蓋１１を反転状態に保持して行うことができるので、その取り付け作業は非常に行いやすいものであり、又、朱肉パッド１８のインクが手に付着することもない。
【００２８】
次に、本実施の形態の印鑑ケースに取り付けた印鑑３５の印面向きを調整する場合には、図９に示すようにホルダーキャップ３０を取り外した後、前記した印鑑取り付け時と同様にロック部材３３を最下部に位置させてロック解除状態として、その状態でホルダー２１を弾発部材２４の弾発力に抗して押圧して押し下げて印鑑保持筒５を脚枠体１内にて下降させ、回転蓋１１を前記した要領で図１４に示すように反転状態に保持する。そして、その状態で脚枠体１の下端開口より印面３６を確認しながら、図９に示す印鑑保持筒５上部の一対の開口部７及びホルダー２１上部の一対の開口部２２において露呈する印鑑３５の上部を摘んで周方向に回転させて印面向きを調整する。そして、印面向きの調整が完了したら、前記した印鑑取り付け時と同様に回転蓋１１の反転状態を解いて、回転蓋１１を図１０に示すように閉蓋状態にする。
【００２９】
このように、印鑑保持筒５の開口部７及びホルダー２１の開口部２２において印鑑保持筒５内に保持させた印鑑３５の上部が露呈し、この開口部７、２２より露呈する部分を摘んで印鑑３５を回転させることにより印面向きを調整することができるので、印面向きの調整をする際に印鑑３５を取り外す必要はなく、指が汚れることもない。
【００３０】
次に、本実施の形態の印鑑ケースに取り付けた印鑑３５の印面３６と朱肉パッド１３の接触状態を調整する場合には、図９に示すようにホルダーキャップ３０を取り外して高さ調整部材２９を回転させて、この高さ調整部材２９の軸部２８を印鑑保持筒５内で上下動させることにより、印鑑保持筒５の下端開口における印鑑３５の印面３６の突出量を調整することができる。これにより、印面３６に付着する朱肉の量を適正にすることができる。
【００３１】
次に、本実施の形態のケースに取り付けた印鑑３５を捺印する場合には、図２に示すようにロック部材３３を最下部に位置させてロック解除状態とし、その状態で脚枠体１を捺印位置に置いて、前記した印鑑取り付け時と同様にホルダー２１を弾発部材２４の弾発力に抗して押圧して押し下げ、印鑑保持筒５を脚枠体１内にて下降させて回転蓋１１を脚枠体１の外側方向に回転させて、回転蓋１１を図１２に示すように開蓋状態とする。すると、朱肉が付着した印面３６が脚枠体１の下端開口より露呈して捺印することができる。そして、捺印が完了したら、前記した印鑑取り付け時と同様にホルダー２１への押圧を解いて、回転蓋１１を図１０に示すように閉蓋状態にする。
【００３２】
次に、本実施の形態の印鑑ケースの朱肉皿１９を交換する場合には、ホルダー２１を弾発部材２４の弾発力に抗して押圧して押し下げて印鑑保持筒５を脚枠体１内にて下降させ、前記した印鑑取付け時や印面向き調整時と同じ要領で図１４に示すように回転蓋１１を反転状態に保持する。そして、回転蓋１１の台座部１３の下面より突出している係合片２０を回転させて係合片２０と係合孔１４を同位置として係合片２０の上面と台座部１３の下面の係合状態を解き、その状態で係合孔１４から係合片２０を引き抜いて朱肉皿１９を取り外す。このように古い朱肉皿１９を引き抜いたら、前記段落番号００１３に記載した要領で新しい朱肉皿１９を台座部１３に取り付け、新しい朱肉皿１９の取り付けが完了したら、前記した印鑑取り付け時と同様に回転蓋１１の反転状態を解いて、回転蓋１１を図１０に示すように閉蓋状態にする。
【００３３】
このように、朱肉皿１９の交換は回転蓋１１を反転状態に保持して行うことができるので、その交換作業は非常に行いやすいものである。又、朱肉皿１９を着脱自在として交換可能としたことにより、インク補充の必要性がなくなるので、補充するインクにより手や衣服、その他周辺を汚す恐れもない。尚、朱肉パッド１８にインクを補充する場合においても、回転蓋１１を反転状態に保持して朱肉パッド１８を上向きに露呈した状態に保持することができるので、そのインク補充の作業は従来よりも行いやすい。
【００３４】
次に、本印鑑ケースを使用しない時、即ち、携帯時や収納時においては、図３に示すように長孔３３aの下端が軸３４に当接するまでロック部材３３を上方にスライドさせて最上部に位置させる。すると、図３に示すようにロック部材３３の下部内面は回転蓋１１の側板部１２の外側面に当接し、かつ、ロック部材３３の上部内面は脚枠体１の外側面に当接する。そして、この状態にてホルダー２１を弾発部材２４の弾発力に抗して押圧して押し下げて印鑑保持筒５を脚枠体１内にて下降させようとすると、前述したようにロック部材３３の下部内面が回転蓋１１の側板部１２の側面に当接し、かつ、ロック部材３３の上部内面が脚枠体１の側面に当接しているので、脚枠体１の外側方向への回転蓋１１の回転は阻止され、これにより、ホルダー２１と印鑑保持筒５の下降も阻止される。
【００３５】
このように、ロック部材３３を最上部に位置させたロック状態では、回転蓋１１の回転が阻止され、ホルダー２１と印鑑保持筒５の下降が阻止されるので、携帯時や収納時において回転蓋１１が使用者の意に反して回転して印面が露呈することを防止することができ、ポケットや鞄の中にある物や衣服や手がインクにより汚れることを防止することができる。又、ロック部材３３は一対の連結片１５の間に設けるものとしているので、このロック部材３３は比較的小さな部品で構成することができ、脚枠体１と回転蓋１１の連結部分に一体化して設けることができるので、携帯時において使用者の意に反してロック状態が簡単に解除されることを防止することができ、又、印鑑ケース全体の見栄えを損なうこともない。
【００３６】
尚、ロック部材３３を最上部に位置させたロック状態とロック部材３３を最下部に位置させたロック解除状態を確実に保持するために、連結片１５の内側面とロック部材３３の外側面、もしくは、ロック部材３３の内側面と回転蓋１１の側板部１２及び脚枠体１の外側面に、互いに乗り越え嵌合する突起や凹凸を設けても良い。
【００３７】
【発明の効果】
以上の通り、本発明の印鑑ケースでは、回転蓋を反転状態に保持できるようにしたので、印鑑ケースへの印鑑の着脱作業が非常に行いやすく、又、朱肉パッドにインクを補充する場合においても、回転蓋が反転状態となって朱肉パッドの上面が露呈した状態となるので、手を汚すことなく簡単にインク補充を行うことができる。
【００３８】
更に、朱肉パッドを収容した朱肉皿を回転蓋に着脱自在に取り付ける構成とすることにより朱肉皿が交換可能となり、その交換作業も回転蓋を反転状態に保持した状態で行うことができるので、朱肉皿の交換作業は非常に行いやすく、又、手をインクで汚すこともないものである。
【図面の簡単な説明】
【図１】本発明の一実施の形態の分解斜視図。
【図２】本発明の一実施の形態のロック解除状態の断面図。
【図３】本発明の一実施の形態のロック状態の断面図。
【図４】本発明の一実施の形態の回転蓋の平面図。
【図５】本発明の一実施の形態の回転蓋の底面図。
【図６】本発明の一実施の形態の朱肉皿の正面図。
【図７】本発明の一実施の形態の朱肉皿の底面図。
【図８】本発明の一実施の形態の回転蓋の台座部に朱肉皿を取り付けた状態を示す底面図。
【図９】本発明の一実施の形態のホルダーキャップを取り外した状態を示す正面図。
【図１０】本発明の一実施の形態の閉蓋状態を示す説明図。
【図１１】本発明の一実施の形態の回転蓋作動状態を示す説明図。
【図１２】本発明の一実施の形態の開蓋状態を示す説明図。
【図１３】本発明の一実施の形態の回転蓋を反転状態にする時の説明図。
【図１４】本発明の一実施の形態の回転蓋を反転状態に保持した状態を示す説明図。
【符号の説明】
１  脚枠体
２  窓部
３  支持片
４  切欠部
５  印鑑保持筒
６  縦溝
７  開口部
８  係止爪
９  孔
１０  カツラバネ
１１  回転蓋
１２  側板部
１３  台座部
１４  係合孔
１５  連結片
１６  突子
１７  ガイド片
１８  朱肉パッド
１９  朱肉皿
２０  係合片
２１  ホルダー
２２  開口部
２３  環状段部
２４  弾発部材
２５  係止孔
２６  孔
２７  ねじ筒
２８  軸部
２９  高さ調整部材
３０  ホルダーキャップ
３１  突起
３２  突起
３３  ロック部材
３４  軸
３５  印鑑
３６  印面
【図１】
0004316828.tif 000002
【図２】
0004316828.tif 000003
【図３】
0004316828.tif 000004
【図４】
0004316828.tif 000005
【図５】
0004316828.tif 000006
【図６】
0004316828.tif 000007
【図７】
0004316828.tif 000008
【図８】
0004316828.tif 000009
【図９】
0004316828.tif 000010
【図１０】
0004316828.tif 000011
【図１１】
0004316828.tif 000012
【図１２】
0004316828.tif 000013
【図１３】
0004316828.tif 000014
【図１４】
0004316828.tif 000015